(57)【要約】【課題】点滴スタンドが凹みのある床面などを移動しても、スムーズに移動できるようにする。【解決手段】点滴容器を吊すことのできる支柱２の下端部にこの支柱２を支持するベース部材３が設けられ、このベース部材３に移動用キャスター４が複数設けられた点滴スタンドにおいて、移動用キャスター４の一部が移動面Ｇの凹みに落ち込まないようにベース部材３の移動姿勢を維持する落輪防止部材５が移動用キャスター４よりも支柱２の近くに設けられていることを特徴とする点滴スタンド。【選択図】　　　図１
2004049491.tif 000002
【特許請求の範囲】
【請求項１】
点滴容器を吊すことのできる支柱（２）の下端部にこの支柱（２）を支持するベース部材（３）が設けられ、このベース部材（３）に移動用キャスター（４）が複数設けられた点滴スタンドにおいて、
一部の前記移動用キャスター（４）が移動面（Ｇ）の凹みに落ち込まないようにベース部材（３）の移動姿勢を支持する落輪防止部材（５）が移動用キャスター（４）よりも支柱（２）の近くに設けられていることを特徴とする点滴スタンド。
【請求項２】
前記落輪防止部材（５）は、移動用キャスター（４）による支柱（２）の移動時に移動面（Ｇ）を転動することのできる車輪（１６）を有する補助キャスター（１８）で構成されていることを特徴とする請求項１に記載の点滴スタンド。
【請求項３】
前記ベース部材（３）は、前記支柱（２）の軸心を中心として放射線状に突設された複数の支持部材（１４）からなり、この支持部材（１４）の先端部に移動用キャスター（４）が設けられ、支持部材（１４）の移動用キャスター（４）と支柱（２）との間に落輪防止部材（５）が設けられていることを特徴とする請求項１又は２に記載の点滴スタンド。
【請求項４】
前記ベース部材（３）は、移動用キャスター（４）が取り付けられている部分より、支柱（２）が取り付けられている部分の方が低くなるように形成されていることを特徴とする請求項１〜３のいずれかに記載の点滴スタンド。
【発明の詳細な説明】
【０００１】
【発明の属する技術分野】
本発明は、キャスター等により移動可能な点滴スタンドに関する。
【０００２】
【従来の技術】
従来から病院等で用いられている点滴スタンドは、図１１に示すように、点滴容器を吊すことのできる支柱１０１の下端部にこの支柱１０１を支持するベース部材１０２を設け、このベース部材１０２にキャスター１０３を設けることにより、例えば点滴容器を吊した状態で病院内を移動できるようになっている。
ベース部材１０２に設けられるキャスター１０３は、図１１，１２に示すように、十字状のベース部材１０２の先端部にそれぞれ設けられており、このキャスター１０３の車輪１０４が床面等の移動面Ｇを転動することにより支柱１０１が起立した状態で床面等を移動できるようになっている。
【０００３】
【発明が解決しようとする課題】
しかしながら、従来の点滴スタンドでは、図１３に示すように、キャスター１０３の車輪１０４が床面を転動している場合において、床面等に凹みがあると、このキャスター１０３が凹みに落ち込みむことによってベース部材１０２が移動姿勢を崩し、その結果、点滴スタンド１００自体がスムーズに移動できなくなったり、キャスター１０３が完全に凹みに挟まってキャスター１０３を凹みから引き出さなければ点滴スタンド１００を移動させることができない問題があった。
【０００４】
特に病院などでは、点滴スタンド１００をエレベーターに乗り降りさせる際に、キャスター１０３がエレベーターと廊下との間の隙間（凹み）に落ち込んでしまうことが多くあり問題となっている。
そこで、本発明は、上記問題点に鑑み、キャスターが凹みのある床面などを移動しても、スムーズに移動できる点滴スタンドを提供することを目的とする。
【０００５】
【課題を解決するための手段】
本発明では、上記の目的を達成するために、次の解決手段を採用した。すなわち、点滴容器を吊すことのできる支柱２の下端部にこの支柱２を支持するベース部材３が設けられ、このベース部材３に移動用キャスター４が複数設けられた点滴スタンドにおいて、一部の移動用キャスター４が移動面Ｇの凹みに落ち込まないようにベース部材３の移動姿勢を支持する落輪防止部材５が移動用キャスター４よりも支柱２の近くに設けられている。
【０００６】
本発明によれば、落輪防止部材５が、移動用キャスター４よりも支柱２の近くに設けられているので、一部の移動用キャスター４が移動面Ｇの凹部分Ｈに移動しても、ベース部材４が移動姿勢を崩すことがないように落輪防止部材５が支持するので、移動用キャスター４は凹みに落ち込むことがなく、点滴スタンド自体をスムーズに移動させることができる。
即ち、従来のように、移動用キャスター４が凹みに落ち込むことで、点滴スタンド自体がスムーズに移動できなくなったり、移動用キャスター４が完全に凹みに挟まって移動用キャスター４を凹みから引き出さなければ点滴スタンド自体を移動させることができなくなるということがなく、上記記載のように点滴スタンドをエレベーターに乗り降りさせる際においても、移動用キャスター４がエレベーターと廊下との間の隙間（凹み）に落ち込んでしまうこともなく、スムーズに点滴スタンドを移動させることができる。
【０００７】
また、落輪防止部材５を、移動用キャスター４による支柱３の移動時において、移動面Ｇを転動することのできる補助キャスター１８で構成していれば、移動用キャスター４が移動面Ｇの凹部分Ｈを移動しても、補助キャスター１８が移動用キャスター４とは離れた位置（支柱２側）で平坦な移動面Ｇを移動するので、この補助キャスター１８が支えとなってベース部材３の移動姿勢を維持し、その結果、移動用キャスター４は凹みに落ち込むことがなく、点滴スタンド自体をスムーズに移動させることができる。
【０００８】
さらに、補助キャスター１８は、移動用キャスター４と支柱２との間に設けられているので、移動用キャスター４よりも先に移動面Ｇの凹部分Ｈを移動することは少なく、移動用キャスター４が移動時においてどのような向きであってもベース部材３を支持することが可能である。
また、ベース部材３は、支柱２の軸芯を中心として放射線状に突設された複数の支持部材１４からなり、この支持部材１４の先端部に移動用キャスター４が設けられ、この移動用キャスター１４と支柱２との間に落輪防止部材５が設けられているのが好ましい。
【０００９】
また、ベース部材３は、移動用キャスター４が取り付けられている部分より、支柱２が取り付けられている部分の方が低くなるように形成されていれば、支柱２が移動面Ｇに近い位置でベース部材３に取り付けられることになるので、点滴スタンド全体の重心を低くすることができ、安定した状態で点滴スタンドを移動させることができる。
【００１０】
【発明の実施の形態】
以下、本発明の第１の実施の形態を図に基づいて説明する。
図１〜３は本発明に係る点滴スタンドの実施の形態を示している。
この点滴スタンド１は、点滴容器を吊すことのできる支柱２と、この支柱２の下端部において支柱２を支持するベース部材３と、このベース部材３に取り付けられる移動用キャスター４と、一部の移動用キャスター４が移動面Ｇの凹みに落ち込まないようにベース部材３の移動姿勢を支持する落輪防止部材５とを有している。
【００１１】
図１に示すように、支柱２は、鉄鋼又はその他の材料で形成されており、ベース部材３に取り付けられる円筒状の支持部８と、この支持部８に摺動自在に挿入された円筒状の延長部９と、この延長部９の上端に設けられたフック１０と、支持部８と延長部９とを挟持する高さ調整具１１とを有している。
支持部８は、ベース部材３の略中央部から起立しており、支持部８の下端部はベース部材３に設けられた取付ナット１２との締結によってベース部材３に取り付けられている。
【００１２】
高さ調整具１１は、ナットの形状をしており、延長部９を支持部８に挿入した状態でこの高さ調整具１１を支持部８の上端部に締め付けることにより、支持部８と延長部９は高さ調整具１１に挟持され、延長部９は支持部８に連結されるようになっている。また、この高さ調整具１１を緩めることにより延長部９は挟持状態から解除されるようになっており、延長部９を上下方向させることによって、フック１０の高さ調整ができるようになっている。
フック１０は、略平板状に形成されておりこのフック１０に設けられた切り欠き部１３に点滴容器などを吊すことができるようになっている。
【００１３】
図２に示すように、ベース部材３は略十字状になっており、長方形板状の４枚の支持部材１４から構成されている。
この各支持部材１４は、支持部８の軸心（支柱２の軸心）を中心として互いの支持部材１４の開き角が略９０°になるように突設されており、ベース部材３の略中央部に設けられた円形状の連結板１５に各支持部材１４の一端を溶接することにより、各支持部材１４は一体化されている。また、ベース部材３の中央部が下方に屈曲するように各支持部材１４は屈曲形成されている。
【００１４】
図１，２に示すように、移動用キャスター４は、ベース部材３の支持部８が取り付けられている位置よりも高い位置で各支持部材１４の先端部に設けられており、この場合においては４個の移動用キャスター４が設けられている。
この移動用キャスター４は、車輪１６を有しており、この車輪１６が移動面Ｇを転動することによって、支柱２はベース部材３と共に移動できるようになっている。また、移動用キャスター４は、支柱２の進行方向に合わせて車輪１６の向きを自在に変えることができるようになっている。
【００１５】
図１，２に示すように、落輪防止部材５は、移動用キャスター４と支柱２との間に位置するように各支持部材１４に設けられ、この場合においては４個の落輪防止部材５が設けられている。この落輪防止部材５は、移動用キャスター４による支柱２の移動時において、移動面Ｇを転動することのできる車輪１６を有する補助キャスター１８で構成されている。この補助キャスター１８はベース部材３から下方に突出してベース部材３を支持すると共に、支柱２とベース部材３とを移動させることができるものとなっている。
【００１６】
上記記載の一実施の形態によれば、ベース部材３が十字状になっており、各支持部材１４に移動用キャスター４が設けられているので、点滴スタンド１自体は四点支持されて安定した状態で移動させることができる。
また、図２，３に示すように、一部の移動用キャスター４の車輪１６が移動面Ｇの凹部分Ｈを転動した場合において、補助キャスター１８の車輪１６が移動用キャスター４とは離れた位置（支柱２側）で平坦な移動面Ｇを転動し、且つ、この各補助キャスター１８がベース部材３を支持してベース部材３の移動姿勢を維持するので、移動用キャスター４は凹部分に落ち込むことがなく、スムーズに移動させることができる。
【００１７】
さらに、補助キャスター１８は、移動用キャスター４と支柱２との間のベース部材３に設けられているので、補助キャスター１８の車輪１６は移動用キャスター４よりも先に移動面Ｇの凹部分Ｈを転動することは少なく、移動している移動状態において、ベース部材３がどのような向きで進んでも、この補助キャスター１８はベース部材３を支持することが可能である。
また、ベース部材３の中央部が下方に屈曲している、言い換えれば、移動用キャスター４が取り付けられている部分より、支柱２が取り付けられている部分の方が低くなるようになっているので、点滴スタンド１全体の重心を低くすることができ、安定した状態で点滴スタンド１を移動させることができる。
【００１８】
図４は本発明に係る点滴スタンドの第２の実施形態を示している。
この点滴スタンド１は、支柱２を支持しているベース部材３を略人字状にしたものであり、ベース部材３は長方形板状の３枚の支持部材１４から構成されている。なお、図４においてフック１０及び高さ調整具１０は省略している。
図４に示すように、この各支持部材１４は支持部８の軸心（支柱２の軸心）を中心として互いの支持部材１４の開き角が略１２０°になるように突設されており、上記記載の第１の実施の形態と同様に、ベース部材３の略中央部に設けられた円形状の連結板１５に各支持部材１４の一端を溶接することにより各支持部材１４は一体化されている
そして、移動用キャスター４と補助キャスター１８は、上記記載の第１の実施の形態と同様にこの各支持部材１４に設けられており、この場合において、移動用キャスター４と補助キャスター１８はそれぞれ３個づつ設けられている。
【００１９】
なお、その他の構成は上記記載の第１の実施の形態と同様である。
上記記載の第２の実施の形態によれば、上記記載の第１の実施の形態と同様の効果を有すると共に、上記記載の第１の実施の形態と比べ支持部材１４と移動用キャスター４と補助キャスター１８とをそれぞれ１個減らすことができるので安価に製造することができる。
図５は本発明に係る点滴スタンドの第３の実施形態を示している。
この点滴スタンド１は、支柱２を支持しているベース部材３を略人手字状にしたものであり、ベース部材３は長方形板状の５枚の支持部材１４から構成されている。なお、図５においてフック１０及び高さ調整具１１は省略している。
【００２０】
図５に示すように、この各支持部材１４は支持部８の軸心（支柱２の軸心）を中心として互いの支持部材１４の開き角が略７２°になるように突設されており、上記記載の第１の実施の形態と同様に、ベース部材２の略中央部に設けられた円形状の連結板１５に各支持部材１４の一端を溶接することにより各支持部材１４は一体化されている
そして、移動用キャスター４と補助キャスター１８は、上記記載の第１の実施の形態と同様にこの各支持部材１４に設けられており、この場合において、移動用キャスター４と補助キャスター１８はそれぞれ５個づつ設けられている。
【００２１】
なお、その他の構成は上記記載の第１の実施の形態と同様である。
上記記載の第３の実施の形態によれば、上記記載の第１の実施の形態と同様の効果を有すると共に、周方向にずれた位置で５個の移動用キャスター４と補助キャスター１８とが設けられているのでより安定した状態で点滴スタンド自体を移動させることができる。
図６は本発明に係る点滴スタンドの第４の実施形態を示している。
この点滴スタンド１は、支柱２を支持しているベース部材３を円盤状の部材で形成したものであり、このベース部材３に複数の移動用キャスター４と複数の補助キャスター１８とを設けたものである。なお、図６においてフック１０及び高さ調整具１１は省略している。
【００２２】
図６に示すように、支柱２は円盤状のベース部材３の中央部に設けられ、ベース部材３の周部において、各移動用キャスター４がそれぞれ周方向にずれた位置になると共に、互いの移動用キャスター４の配置角度が略９０°となるように移動キャスター４はベース部材３に設けられている。
補助キャスター１８は、この各移動用キャスター４と支柱２との間に位置するようにベース部材３に設けられている。この場合において、移動用キャスター４と補助キャスター１８はそれぞれ４個づつ設けられている。
【００２３】
なお、その他の構成は上記記載の第１の実施の形態と同様である。
上記記載の第４の実施の形態によれば、上記記載の第１の実施の形態と同様の効果を有すると共に、ベース部材３が円盤状に形成されているので上記記載の１〜３の実施形態のように各支持部材１４を組み合わせる必要がなく簡単にベース部材３を構成することができ、安価に製造することができる。
図７は本発明に係る点滴スタンドの第５の実施形態を示している。
この点滴スタンド１は、落輪防止部材５をベース部材３から移動面Ｇ側に突出する突出部材１９で構成したものである。
【００２４】
この突出部材１９は、合成樹脂や金属などその他の材料で形成されており、支柱２と移動用キャスター４との間の位置においてベース部材３から移動面Ｇ側に突出している。この場合において、突出部材１９は、移動面Ｇに完全に当接しない程度であって、限りなく移動面Ｇに近い位置まで下方に突出しているのが好ましい。
なお、この突出部材１９はベース部材３に取り付けられるものであっても、ベース部材３と一体化形成されていてもよい。
【００２５】
上記実施の第５の実施の形態によれば、図８のように一部の移動用キャスター４の車輪１６が移動面Ｇの凹部分Ｈを転動しても、突出部材１９が移動面Ｇと当接してベース部材３を支持すると共に、ベース部材３の移動姿勢をほぼ維持するので、移動用キャスター４は凹部分に落ち込むことがなく、点滴スタンド１自体をスムーズに移動させることができる。
本発明は、上記記載の実施の形態に限定されることなく適宜に設計変更が可能である。
【００２６】
支柱２は点滴容器を設けることができるものであればよく、必ずしも高さ調整具１１を有する必要はない。また、フック１０においても、例えば、十字状になっているものであっても、その他の形状を有するものであってもよい。
また、複数の支持部材１４は長方形板状に形成されていたがこれに限られず、例えば、パイプ形状のものであっても鋼棒形状のものであってもよい。
また、上記実施の形態では、落輪防止部材５は移動用キャスター４と支柱２とを結ぶ同一直線上（移動キャスター４と落輪防止部材５とが周方向にずれない位置）に配置されていたが、図９，１０に示すように、落輪防止部材５は移動キャスター４に対して周方向にずれた位置となるように設けられてもよい。
【００２７】
【発明の効果】
本発明によれば、移動用キャスターと支柱との間に落輪防止部材を設けたので、一部の移動用キャスターが移動面の凹みに至ってもベース部材は移動姿勢を崩して移動用キャスターが凹みに落ち込むことがないので点滴スタンド自体をスムーズに移動させることができる。
【図面の簡単な説明】
【図１】本発明の第１の実施の形態を示す点滴スタンドの側面図である。
【図２】同図１のＡ−Ａの矢視図である。
【図３】同の移動用キャスターの一部が移動面の凹みに移動した際の側面図である。
【図４】本発明の第２の実施の形態を示す点滴スタンドを上から見た図である。
【図５】本発明の第３の実施の形態を示す点滴スタンドを上から見た図である。
【図６】本発明の第４の実施の形態を示す点滴スタンドを上から見た図である。
【図７】本発明の第５の実施の形態を示す点滴スタンドの側面図である。
【図８】同の移動用キャスターの一部が移動面の凹みに移動した際の側面図である。
【図９】移動用キャスターに対して落輪防止部材を周方向にずらして配置させた他の点滴スタンドを上から見た図である。
【図１０】移動用キャスターに対して落輪防止部材を周方向にずらして配置させた他の点滴スタンドを上から見た図である。
【図１１】従来の点滴スタンドの側面図である。
【図１２】同図１１のＢ−Ｂ矢視図である。
【図１３】同移動用キャスターの一部が移動面の凹みに移動した際の側面図である。
【符号の説明】
１　　点滴スタンド
２　　支柱
３　　　　ベース部材
４　　移動用キャスター
５　　落輪防止部材
１４　支持部材
１６　車輪
１８　補助キャスター
【図１】
2004049491.tif 000003
【図２】
2004049491.tif 000004
【図３】
2004049491.tif 000005
【図４】
2004049491.tif 000006
【図５】
2004049491.tif 000007
【図６】
2004049491.tif 000008
【図７】
2004049491.tif 000009
【図８】
2004049491.tif 000010
【図９】
2004049491.tif 000011
【図１０】
2004049491.tif 000012
【図１１】
2004049491.tif 000013
【図１２】
2004049491.tif 000014
【図１３】
2004049491.tif 000015